(57)【要約】【課題】コインホルダーの構造が簡単になりかつ小さな径のホルダーにおいても必要数のコインを保持させることができるコインホルダーを提供する【解決手段】一端が開口している缶胴２の一端に取り外し可能に嵌着して開口を閉じるコインホルダー３を有し、コインホルダー３は開口を閉じ得る天板６と天板６の周縁部から立ち下がっていて缶胴２の一端に嵌着可能な取付脚７とを有し、１枚のコイン４を収納可能なコイン用空間の複数をコイン用空間の厚みの方向に一部分が重なった状態で天板６の内面１２に沿って配置して備えている【選択図】    図５
2005004636.tif 000002
【特許請求の範囲】
【請求項１】
一端が開口している缶胴の前記一端に取り外し可能に嵌着して前記開口を閉じるコインホルダーを有し、前記コインホルダーは前記開口を閉じ得る天板と前記天板の周縁部から立ち下がっていて前記缶胴の一端に嵌着可能な取付脚とを有し、１枚のコインを収納可能なコイン用空間の複数を前記コイン用空間の厚みの方向に一部分が重なった状態で前記天板の内面に沿って配置して備えていることを特徴とするコインホルダー付き缶。
【請求項２】
前記天板には前記それぞれのコイン用空間と前記厚みの方向に重なる位置に表示用窓が開設されており、前記複数のコイン用空間のうち一方のコイン用空間は前記天板の内面に接近して配置されており、他方のコイン用空間は前記天板の内面から前記一方のコイン用空間の１個の厚さ分だけ離隔して配置されていることを特徴とする請求項１記載のコインホルダー付き缶。
【請求項３】
前記一方のコイン用空間の周囲部においては前記天板から位置決め押え腕が立ち下がって設けられており、前記他方のコイン用空間の周囲部においては下端に他方のコイン用空間の下面に沿って突出しているフック部を有する抱え腕が前記天板から立ち下がって設けられており、前記他方のコイン用空間のうち前記一方のコイン用空間と重ならない部分の上面に向って前記天板から延出するスペーサーが設けられていることを特徴とする請求項１記載のコインホルダー付き缶。
【請求項４】
前記缶胴の前記一端には内カール部が形成され、前記コインホルダーは前記取付脚が前記内カール部に内嵌していることを特徴とする請求項１記載のコインホルダー付き缶。
【請求項５】
前記コインホルダー付き缶は重さ調整用ウエイトと景品を内包していることを特徴とする請求項１記載のコインホルダー付き缶。
【請求項６】
前記重さ調整用ウエイトと前記景品は一体の物品として構成されていることを特徴とする請求項１記載のコインホルダー付き缶。
【発明の詳細な説明】
【０００１】
【産業上の利用分野】
この発明は缶入り飲料の販売促進を目的として、自動販売機でくじを行う場合の、当たりくじ缶として使用するコインホルダー付き缶に関するものである。
【０００２】
【従来の技術】
自動販売機でくじを行う場合には、自動販売機内に収納している飲料缶列の中に当たりくじ缶を混ぜておくことによって行われる。消費者が自動販売機に硬貨を投入して商品ボタンを押して所望の種類の飲料缶を指定した時に、指定した飲料缶が落下して来れば、それで飲料缶の購入は終了するのであるが、そうではなくて当たりくじ缶が落下して来た時には、消費者は当たりくじ缶の中に入っている景品を獲得することができるとともに、所望の飲料缶を再度購入するためのコインまたは硬貨（以下「コイン」という）もその当たりくじ缶に取付けられて戻されるのである。
【特許文献１】特開２０００−３３９４９号
この戻りのコインを当たりくじ缶に取り付ける方法として従来採られているものは、空缶の缶胴の上端開口部に嵌合しているコインホルダーにコインを保持させたもので、コインホルダーの天板には戻しコインの数だけで表示窓を開け、その表示窓の裏側に１枚ずつコインを取り付けたものである。
【０００３】
【課題】
しかるに、この従来の方法では、それぞれのコインが独立して天板に取り付けられるので、コインを取り付けるための同じ構造がコインの数だけ必要になり、ホルダーの構造が複雑になる。また、それぞれのコインについて取り付けのための独立した場所が必要であるので、小さな径のホルダーにおいては、コインの数だけの場所を取ることができずに、小さな径の飲料缶については採用が不可能となる場合もある。
【０００４】
この発明は上記の如き事情に鑑みてなされたものであって、コインホルダーの構造が簡単になりかつ小さな径のホルダーにおいても必要数のコインを保持させることができるコインホルダーを提供することを目的とするものである。
【０００５】
【構成】
この目的に対応して、この発明のコインホルダー付き缶は、一端が開口している缶胴の前記一端に取り外し可能に嵌着して前記開口を閉じるコインホルダーを有し、前記コインホルダーは前記開口を閉じ得る天板と前記天板の周縁部から立ち下がっていて前記缶胴の一端に嵌着可能な取付脚とを有し、１枚のコインを収納可能なコイン用空間の複数を前記コイン用空間の厚みの方向に一部分が重なった状態で前記天板の内面に沿って配置して備えていることを特徴としている。
【０００６】
【実施の態様】
以下、この発明の詳細を一実施態様例を示す図面について説明する。
図１において１はコインホルダー付き缶であり、コインホルダー付き缶１は缶胴２とコインホルダー３とを有し、コインホルダー３に図２に示すコイン４を取り付けている。
【０００７】
図３に示すように缶胴２は上端が開口していてその開口の縁部は内カール５が設けられている。コインホルダー３は後述する取付脚が内カール５に内嵌することによって缶胴２の上端に嵌着する。コインホルダー３で上端開口を閉じられた缶胴２には景品や必要に応じて重さ調整ウエイトが入れてある。
【０００８】
図４、図５及び図６に示すように、コインホルダー３は円板状の天板６を有し、天板６の周縁部から取付脚７が立ち下がっている。天板６には３個の表示窓８ａ、８ｂ及び８ｃが一直線上に形成されている。それぞれの表示用窓８ａ、８ｂ、８ｃはそれぞれほぼ円形をなすが、３個の表示用窓８ａ、８ｂ、８ｃは直線方向に一部分重なっているので、実際には連続して１個となった表示集合窓８となっている。それぞれの表示用窓８ａ、８ｂ、８ｃの大きさは保持すべきコイン４の大きさよりも一回り小さく形成されている。それぞれの表示用窓８ａ、８ｂ、８ｃにコインの厚み方向に対応して、コイン４を収納し得るコイン用空間１１ａ、１１ｂ、１１ｃが設けられている。
【０００９】
コイン用空間１１ａは表示用窓８ａに対応して配置され、コイン用空間１１ｂは表示用窓８ｂに対応して配置され、コイン用空間１１ｃは表示用窓８ｃに対応して配置される。
【００１０】
中央のコイン用空間１１ａは天板６の内面１２に近接して配置されており、両側のコイン用空間１１ｂ、１１ｃは天板６の内面１２からコイン用空間１１ａの厚さｔ分だけ離れて配置されている。したがって、コイン用空間１１ａ、１１ｂ、１１ｃはその厚みの方向には一部分重複して配置されているが、その径方向には重複することはない。したがってそれぞれのコイン用空間１１に一のコイン４が入ればそれらのコイン４は厚さの方向に一部分が重なった状態で天板６の下面に沿って配置され、表示用集合窓８を通して視認可能となる。コイン用空間１１ａの周囲部においては天板６から位置決め押え腕１３が立ち下がっており、この位置決め押え腕１３はコイン用空間１１ａ内にコイン４ａがあるときにコイン４ａの周面に当接してコイン４ａを位置決めし、コイン４ａを表示用窓８ａに同心状に位置決めする。コイン用空間１１ｂ、１１ｃの周囲部においては天板６から抱え腕１４が立ち下がっている。この抱え腕１４はコイン４の２枚分の厚みと同じ有効高さを有していて、その下端にコイン用空間１１ｂ、１１ｃの下面に沿ってフック部１５が突出している。この抱え腕１４はコイン用空間１１ｂ、１１ｃにコイン４ｂ、４ｃがある時にコイン４ｂ、４ｃの周縁部をフック部１５が抱えてコイン４ｂ、４ｃの落下を防止してコイン４ｂ、４ｃを保持するものである。また、コイン用空間１１ｂ、１１ｃのうちコイン用空間１１ａと重ならない部分の上面に向って天板６からスペーサ１６が延出している。
【００１１】
このスペーサ１６はコイン用空間１１ｂ、１１ｃにコイン４ｂ、４ｃがある時にコイン４ｂ、４ｃの上面を押え、フック部１５と協働してコイン４ｂ、４ｃをがたつきなく保持するものである。
【００１２】
取付脚７は下端の外面にアンダーカット１７を有し、取付脚７が缶胴２の上端開口部に差し込まれ、アンダーカット１７が缶胴２の内カール５に嵌合することによって、コインホルダー３が缶胴２に嵌着する。缶胴２内には景品が収納され、また自動販売機で正規の販売缶と同等に取り扱われるための重量調整用のウエイト等が収納される。この景品と重量調整用ウエイトとは別体に構成してもよいし、両機能を兼用するものとして一体に形成してもよい。
【００１３】
このように構成されたコインホルダー付き缶にコインを付属させるためには、コインホルダー３のコイン用空間１１ａに一のコイン４ａを嵌め込む。次にコイン用空間１１ｂ、１１ｃに他のコイン４ｂ、４ｃを嵌め込む。コイン用空間１１ａに嵌め込んだコイン４ａは周側面を位置決め押え腕１３で位置決めされ、上面を天板６の表示用窓８ａの縁部に密接させ、かつ下面の両側をコイン用空間１１ｂ、１１ｃ内のコイン４ｂ、４ｃで押され、結局上下面及び側面を押えられて安定して位置する。
【００１４】
次にコイン用空間１１ｂ、１１ｃに他のコイン４ｂ、４ｃを嵌め込む。コイン用空間１１ｂ、１１ｃに嵌め込んだ他のコイン４ｂ、４ｃは、周側面を抱え腕１４で位置決めされ、上面のうちコイン用空間１１ａ内の一のコイン４ａと重なる部分はその一のコイン４ａで押えられ、一のコイン４と重ならない部分はスペーサ１６で押えられる。この一のコイン４ａと重ならない部分が表示用窓８ｂ、８ｃから視認可能である。他のコイン４ｂ、４ｃの下面は抱え腕１４のフック部１５で下から支えられる。結局コイン用空間１１ｂ、１１ｃ内の他のコイン４ｂ、４ｃは上下面及び側面を押えられて安定して位置する。
【００１５】
缶胴２内には景品や重量調整用ウエイトが充填され、これにコイン４を取り付けたコインホルダー３を嵌着させてコインホルダー付き缶が完成する。
【００１６】
【効果】
この発明のコインホルダー付き缶では、複数のコインを一部分重ねた状態で配置し、互いに支え合わせることができるので、コインホルダー３の支持構造が簡単になるとともに、複数のコイン４を配置するための平面的な場所も小さくてすむので小さな径のホルダーにおいても複数のコインを保持して表示することができ、小さな径の缶にもコインの適用が可能になる。
【００１７】
【図面の簡単な説明】
【図１】コインホルダー付き缶の斜視説明図。
【図２】コインの斜視説明図。
【図３】缶胴にコインホルダーを嵌合させた状態の縦断説明図。
【図４】コインホルダーの斜視説明図。
【図５】図４におけるＡ−Ａ部断面図。
【図６】コインホルダーの底面図。
【符号の説明】
１                      コインホルダー付き缶
２                      缶胴
３                      コインホルダー
４（４ａ、４ｂ、４ｃ）  コイン
５                      内カール
６                      天板
７                      取付脚
８                      表示集合窓
８ａ、８ｂ、８ｃ        表示用窓
１１ａ、１１ｂ、１１ｃ  コイン用空間
１２                    （天板の）内面
１３                    位置決め押え腕
１４                    抱え腕
１５                    フック部
１６                    スペーサ
１７                    アンダーカット
【図１】
2005004636.tif 000003
【図２】
2005004636.tif 000004
【図３】
2005004636.tif 000005
【図４】
2005004636.tif 000006
【図５】
2005004636.tif 000007
【図６】
2005004636.tif 000008